(57)【要約】【課題】ユーザーの利便性を向上させる。【解決手段】画像形成装置は、原稿を読み取って複数ページの画像データを生成する画像読取部と、画像データを用いてジョブを実行するジョブ実行部と、操作パネルと、複数ページの画像データから所定条件を満たす条件充足ページの画像データを検出する検出処理を行い、条件充足ページの画像データを検出した場合には、ジョブの実行前に条件充足ページの画像データをプレビューするためのプレビュー画像を配したプレビュー画面を操作パネルに表示させるプレビュー処理を行う一方、条件充足ページの画像データを検出しなかった場合には、プレビュー処理を行わずにジョブを実行させる制御部と、を備える。【選択図】図８
2018129637.tif 000002
【特許請求の範囲】
【請求項１】
原稿を１ページずつ読み取って複数ページの画像データを生成する画像読取部と、
前記複数ページの画像データを用いてジョブを実行するジョブ実行部と、
画面を表示し、ユーザーから操作を受け付ける操作パネルと、
前記複数ページの画像データから所定条件を満たす条件充足ページの画像データを検出する検出処理を行い、前記条件充足ページの画像データを検出した場合には、前記ジョブ実行部による前記ジョブの実行前に、前記条件充足ページの画像データをプレビューするためのプレビュー画像を生成し、前記プレビュー画像を配したプレビュー画面を前記操作パネルに表示させるプレビュー処理を行う一方、前記条件充足ページの画像データを検出しなかった場合には、前記プレビュー処理を行わずに、前記ジョブ実行部に前記ジョブを実行させる制御部と、を備えることを特徴とする画像形成装置。
【請求項２】
前記制御部は、前記検出処理を行うとき、前記複数ページの画像データのそれぞれについて、白紙ページの画像データであるか否かを判断し、前記白紙ページの画像データを前記条件充足ページの画像データとして検出することを特徴とする請求項１に記載の画像形成装置。
【請求項３】
前記制御部は、前記検出処理を行うとき、前記複数ページの画像データのそれぞれについて、予め定められたページ番号の付加領域に対して文字認識処理を行うことによって前記ページ番号を認識し、前記ページ番号が前ページまたは次ページとの間で不連続となっているページの画像データを前記条件充足ページの画像データとして検出することを特徴とする請求項１または２に記載の画像形成装置。
【請求項４】
前記制御部は、前記複数ページの画像データにカラーページの画像データとモノクロページの画像データとが混在する場合、前記検出処理を行うとき、前記カラーページの画像データおよび前記モノクロページの画像データのうち数が少ない少数ページの画像データの数を認識するとともに、前記複数ページの画像データの総数に対する前記少数ページの画像データの数の比率を求め、前記比率が予め定められた閾値比率以下であれば、前記少数ページの画像データを前記条件充足ページの画像データとして検出することを特徴とする請求項１〜３のいずれか１項に記載の画像形成装置。
【請求項５】
前記制御部は、前記検出処理を行うとき、前記複数ページの画像データのそれぞれについて、予め定められた基準方向に対するページの画像データの傾きを求め、前記傾きが予め定められた閾値角度以上のページの画像データを前記条件充足ページの画像データとして検出することを特徴とする請求項１〜４のいずれか１項に記載の画像形成装置。
【請求項６】
前記操作パネルは、前記プレビュー画面の表示中に、前記複数ページの画像データのうちユーザー指定の画像データを削除する操作、前記複数ページの画像データの並び順を変更する操作、および、前記複数ページの画像データのうちユーザー指定の画像データを回転させる操作を編集操作として受け付けるとともに、前記複数ページの画像データにカラーページの画像データとモノクロページの画像データとが混在する場合には、前記カラーページの画像データを前記モノクロページの画像データに変換する操作を前記編集操作として受け付けることを特徴とする請求項１〜５のいずれか１項に記載の画像形成装置。
【請求項７】
前記操作パネルは、原稿を追加で読み取る追加読取を行うか否かを受け付け、前記追加読取が行われた場合、前記編集操作として、前記複数ページの画像データに前記追加読取によって得られた追加ページの画像データを追加する操作を受け付けることを特徴とする請求項６に記載の画像形成装置。
【発明の詳細な説明】
【技術分野】
【０００１】
本発明は、原稿を読み取って原稿の読み取ったページの画像データを生成し、当該画像データを用いてジョブを実行する画像形成装置に関する。
【背景技術】
【０００２】
従来、ジョブで用いる画像データ（原稿の読み取りによって得られた画像データ）をプレビューすることが可能な画像形成装置が知られている。このような画像形成装置は、たとえば、特許文献１に開示されている。
【０００３】
特許文献１の画像形成装置は、原稿を読み取った後、ジョブ実行前に、原稿の読み取ったページの画像データをプレビューするためのプレビュー画像を生成し表示する。たとえば、複数ページ分の原稿を読み取った場合には、２ページ目のプレビュー画像が表示される。
【先行技術文献】
【特許文献】
【０００４】
【特許文献１】特開２０１６−６３３４９号公報
【発明の概要】
【発明が解決しようとする課題】
【０００５】
特許文献１の構成では、ジョブで用いる画像データのプレビュー画像がジョブ実行前に表示される。このため、ジョブで用いる画像データをジョブ実行前に確認したいユーザーからすると、利便性が良い。
【０００６】
通常、ジョブで用いる画像データを確認する確認作業は、ユーザーの意図通りに画像データが生成されたか否かを確認するために行われる。すなわち、ユーザーの意図通りに画像データが生成されている場合には、確認作業を行う必要はない。
【０００７】
ここで、特許文献１の構成では、ジョブで用いる画像データがユーザーの意図通りに生成されているか否かにかかわらず、ジョブで用いる画像データのプレビュー画像が必ず表示される。この構成では、確認作業を行わなければ、ジョブで用いる画像データがユーザーの意図通りに生成されているか否かを判断することができない。すなわち、確認作業を行わなければ、ジョブで用いる画像データがユーザーの意図通りに生成されていたとしても、その旨を知ることができない。したがって、ユーザーからすると利便性が悪い。
【０００８】
本発明は、上記課題を解決するためになされたものであり、ジョブで用いる画像データがユーザーの意図通りに生成されていない場合にのみジョブで用いる画像データのプレビュー画像を表示することによってユーザーの利便性を向上させることが可能な画像形成装置を提供することを目的とする。
【課題を解決するための手段】
【０００９】
上記目的を達成するために、本発明の画像形成装置は、原稿を１ページずつ読み取って複数ページの画像データを生成する画像読取部と、複数ページの画像データを用いてジョブを実行するジョブ実行部と、画面を表示し、ユーザーから操作を受け付ける操作パネルと、複数ページの画像データから所定条件を満たす条件充足ページの画像データを検出する検出処理を行い、条件充足ページの画像データを検出した場合には、ジョブ実行部によるジョブの実行前に、条件充足ページの画像データをプレビューするためのプレビュー画像を生成し、プレビュー画像を配したプレビュー画面を操作パネルに表示させるプレビュー処理を行う一方、条件充足ページの画像データを検出しなかった場合には、プレビュー処理を行わずに、ジョブ実行部にジョブを実行させる制御部と、を備える。
【００１０】
本発明では、制御部は、所定条件を満たす条件充足ページの画像データを検出した場合にはプレビュー画面（プレビュー画像）を操作パネルに表示させる一方、条件充足ページの画像データを検出しなかった場合にはプレビュー画面を操作パネルに表示させない。この構成では、所定条件を適切に設定することにより、ジョブで用いる画像データがユーザーの意図通りに生成されていない可能性がある場合にのみプレビュー画面を表示するという制御を行うことができる。当該制御を行った場合には、プレビュー画面が表示されたか否かに基づいて、ジョブで用いる画像データを確認する確認作業の要否判断（ジョブで用いる画像データが意図通りに生成されているか否かの判断）を行うことができるので、ユーザーの利便性が向上する。すなわち、ユーザーはプレビュー画面が表示された場合にのみ確認作業を行えばよい。
【発明の効果】
【００１１】
本発明の構成では、ジョブで用いる画像データがユーザーの意図通りに生成されていない場合にのみジョブで用いる画像データのプレビュー画像を表示するという制御を行うことができるので、ユーザーの利便性が向上する。
【図面の簡単な説明】
【００１２】
【図１】本発明の一実施形態による複合機の構成を示すブロック図
【図２】本発明の一実施形態による複合機の構成を示す概略図
【図３】本発明の一実施形態による複合機の操作パネルがユーザーから受け付ける編集操作（削除操作）について説明するための図
【図４】本発明の一実施形態による複合機の操作パネルがユーザーから受け付ける編集操作（順番変更操作）について説明するための図
【図５】本発明の一実施形態による複合機の操作パネルがユーザーから受け付ける編集操作（カラー／モノクロ変換操作）について説明するための図
【図６】本発明の一実施形態による複合機の操作パネルがユーザーから受け付ける編集操作（回転操作）について説明するための図
【図７】本発明の一実施形態による複合機の操作パネルがユーザーから受け付ける編集操作（追加操作）について説明するための図
【図８】本発明の一実施形態による複合機の制御部により行われる検出処理およびプレビュー処理の流れを示すフローチャート
【発明を実施するための形態】
【００１３】
＜複合機の構成＞
図１および図２に示すように、本実施形態の複合機１００（「画像形成装置」に相当）は、制御部１を備える。制御部１は、ＣＰＵ１１、メモリー１２および画像処理モジュール１３を含む。ＣＰＵ１１は、制御用のプログラムおよびデータに基づき、複合機１００の各部を制御するための処理を行う。メモリー１２は、ＣＰＵ１１を動作させるための制御用のプログラムおよびデータを記憶する。
【００１４】
画像処理モジュール１３は、画像データに対して種々の画像処理を行うための専用回路やメモリーを含む。制御部１は、画像処理モジュール１３を用いて、画像データに対して画像処理を行う。
【００１５】
また、複合機１００は、画像読取部２を備える。画像読取部２は、制御部１に接続される。制御部１は、画像読取部２の読取動作を制御する。
【００１６】
画像読取部２は、原稿Ｄを読み取り、原稿Ｄの読み取ったページの画像データを生成する。なお、画像読取部２は、複数ページ分の原稿Ｄを連続して読み取る連続読取の実行が可能に構成される。画像読取部２は、連続読取を実行するとき、原稿Ｄを１ページずつ読み取って複数ページの画像データを生成する（複数ページの画像データは１ファイルにまとめられる）。
【００１７】
画像読取部２は、ランプ２１やイメージセンサー２２などの光学系部材を含み、原稿Ｄを光学的に読み取る。ランプ２１やイメージセンサー２２などの光学系部材は、画像読取部２の筐体（読取筐体）の内部に収容される。なお、読取筐体の上面には、コンタクトガラスＧ１およびＧ２が嵌め込まれる。コンタクトガラスＧ１は搬送読取モードでの読取時に用いるコンタクトガラスであり、コンタクトガラスＧ２は載置読取モードでの読取時に用いるコンタクトガラスである。
【００１８】
また、画像読取部２は、原稿搬送ユニット２３を含む。原稿搬送ユニット２３は、読取筐体の上面に対して開閉可能に取り付けられる。原稿搬送ユニット２３には、原稿搬送路２０、原稿セットトレイ２３１および原稿排出トレイ２３２が設けられる。
【００１９】
原稿搬送路２０は、原稿セットトレイ２３１の設置位置から、コンタクトガラスＧ１上の所定位置（搬送読取モードでの読取時の読取位置ＲＰ）を経由し、原稿排出トレイ２３２の設置位置に至る。そして、原稿搬送ユニット２３は、原稿セットトレイ２３１にセットされた読取前の原稿Ｄを原稿搬送路２０に給紙するとともに、原稿搬送路２０に沿って原稿Ｄを搬送し、読取後の原稿Ｄを原稿排出トレイ２３２に排出する。
【００２０】
搬送読取モードでは、ユーザーによって原稿セットトレイ２３１に原稿Ｄがセットされる。原稿搬送ユニット２３は、原稿セットトレイ２３１にセットされた原稿Ｄを原稿搬送路２０に給紙し、原稿搬送路２０に沿って原稿Ｄを搬送する。これにより、コンタクトガラスＧ１上の読取位置ＲＰを原稿Ｄが通過する。そして、画像読取部２は、読取位置ＲＰを通過する原稿Ｄを読み取って原稿Ｄの画像データを生成する。
【００２１】
ここで、原稿セットトレイ２３１に複数枚の原稿Ｄをセットした場合には、原稿搬送ユニット２３による複数枚の原稿Ｄの読取位置ＲＰへの搬送が１枚ずつ自動的に行われる。そして、画像読取部２による原稿Ｄの読み取りが１枚ずつ連続して行われる。すなわち、連続読取が実行される。
【００２２】
載置読取モードでは、ユーザーによってコンタクトガラスＧ２上に原稿Ｄがセットされる。そして、画像読取部２は、コンタクトガラスＧ２上にセットされた原稿Ｄを読み取って原稿Ｄの画像データを生成する。このとき、コンタクトガラスＧ２上にセットした原稿Ｄを原稿搬送ユニット２３によって押え付けることができる。
【００２３】
また、複合機１００は、印刷部３を備える。印刷部３は、制御部１に接続される。制御部１は、印刷部３の印刷動作を制御する。なお、印刷部３は、「ジョブ実行部」に相当する。以下の説明では、印刷部３をジョブ実行部１００Ｊと称する場合がある。
【００２４】
印刷部３は、用紙Ｓに画像を印刷する印刷ジョブを実行する。印刷部３による印刷ジョブでは、たとえば、画像読取部２による原稿Ｄの読み取りによって得られた原稿Ｄの画像データが用いられる（原稿Ｄの画像データに基づく画像の用紙Ｓへの印刷が行われる）。
【００２５】
印刷部３は、給紙部３１、画像形成部３２および定着部３３を含む。給紙部３１は、カセットに収容された用紙Ｓを用紙搬送路３０に給紙する。用紙搬送路３０に給紙された用紙Ｓは用紙搬送路３０に沿って搬送される。
【００２６】
画像形成部３２は、ブラック（Ｋ）、イエロー（Ｙ）、シアン（Ｃ）およびマゼンタ（Ｍ）の各色にそれぞれ対応する機構部３２Ｋ、３２Ｙ、３２Ｃおよび３２Ｍを含む。機構部３２Ｋ、３２Ｙ、３２Ｃおよび３２Ｍは、それぞれ、対応する色のトナー像を形成し、中間ベルトに１次転写する。中間ベルトに転写されたトナー像は、搬送中の用紙Ｓに２次転写される。
【００２７】
定着部３３は、トナー像が転写された用紙Ｓを加圧および加熱する。これにより、用紙Ｓにトナー像が定着される。トナー像が定着された印刷済み用紙Ｓは、用紙搬送路３０に沿ってそのまま搬送され、排出される。
【００２８】
また、複合機１００は、操作パネル４を備える。操作パネル４は、制御部１に接続される。制御部１は、操作パネル４の表示動作を制御するとともに、操作パネル４に対して行われた操作を検知する。
【００２９】
操作パネル４は、タッチパネルディスプレイ４１およびハードウェアキー４２を含む。タッチパネルディスプレイ４１は、ソフトウェアキーを配した画面を表示し、ユーザーからタッチ操作を受け付ける。ハードウェアキー４２は、操作パネル４に複数設けられる。たとえば、ハードウェアキーとしては、ジョブの実行（開始）を指示するスタート操作をユーザーから受け付けるためのスタートキーなどがある。
【００３０】
また、複合機１００は、通信部５を備える。通信部５は、制御部１に接続される。制御部１は、通信部５が行う通信を制御する。なお、通信部５は、「ジョブ実行部」に相当する。以下の説明では、通信部５をジョブ実行部１００Ｊと称する場合がある。
【００３１】
通信部５は、複合機１００をＬＡＮなどのネットワークＮＴに接続するためのインターフェースであり、通信用回路、通信用メモリーおよび通信用コネクターなどを含む。ネットワークＮＴには、外部機器２００が接続される。外部機器２００は、ファクシミリやサーバー、複合機１００のユーザーにより使用されるユーザー端末（パーソナルコンピューター）などである。
【００３２】
ネットワークＮＴを介して複合機１００（通信部５）と外部機器２００とを通信可能に接続した場合には、複合機１００から外部機器２００にデータを送信する送信ジョブの実行が可能となる。すなわち、通信部５は、送信ジョブを実行する。たとえば、送信ジョブでは、画像読取部２による原稿Ｄの読み取りによって得られた原稿Ｄの画像データの外部機器２００への送信が行わる。
【００３３】
また、複合機１００は、記憶部６を備える。記憶部６は、制御部１に接続される。制御部１は、記憶部６からのデータの読み出しや記憶部６へのデータの書き込みを行う。特に限定されないが、記憶部６は、ＲＯＭ（ＥＥＰＲＯＭなど）やＨＤＤなどの不揮発性の記憶デバイスを含む。
【００３４】
たとえば、制御部１は、画像読取部２による原稿Ｄの読み取りによって得られた原稿Ｄの画像データを記憶部６に一旦記憶させる。そして、制御部１は、原稿Ｄの画像データを用いるジョブをジョブ実行部１００Ｊに実行させるとき、原稿Ｄの画像データから実行ジョブに応じたデータを生成する。
【００３５】
原稿Ｄの画像データを用いるジョブとして印刷ジョブを実行する場合、制御部１は、原稿Ｄの画像データに基づき露光処理（原稿Ｄの画像データに基づく静電潜像を形成する処理）を制御するための露光用データを生成する。そして、制御部１は、露光用データを印刷部３に出力し、原稿Ｄの画像データに基づく静電潜像を印刷部３に形成させる（原稿Ｄの画像データに基づくトナー像が印刷部３において形成される）。これにより、原稿Ｄの画像データに基づく画像の用紙Ｓへの印刷が行われる。
【００３６】
原稿Ｄの画像データを用いて送信ジョブを実行する場合、制御部１は、原稿Ｄの画像データに基づき送信用データ（ＰＤＦデータなど）を生成する。そして、制御部１は、送信用データの外部機器２００への送信を通信部５に行わせる。
【００３７】
＜条件充足ページの画像データの検出＞
画像読取部２による連続読取では、複数ページ分の原稿Ｄの読み取りが１ページずつ連続して行われる。これにより、原稿Ｄの画像データとして複数ページの画像データが画像読取部２によって生成される。このとき、画像読取部２は、複数ページの画像データを読取順に生成する。
【００３８】
画像読取部２による連続読取の終了後、制御部１は、複数ページの画像データを用いるジョブをジョブ実行部１００Ｊに実行させる。すなわち、制御部１は、印刷部３に印刷ジョブを実行させる。あるいは、制御部１は、通信部５に送信ジョブを実行させる。
【００３９】
ここで、制御部１は、画像読取部２による連続読取によって得られた複数ページの画像データを用いるジョブをジョブ実行部１００Ｊに実行させる前に、複数ページの画像データから所定条件を満たす条件充足ページの画像データを検出する検出処理を行う。制御部１は、検出処理として、第１検出処理、第２検出処理、第３検出処理および第４検出処理のうち少なくとも１つを行う。
【００４０】
なお、第１〜第４検出処理の全ての検出処理が制御部１によって行われるよう構成してもよい。あるいは、第１〜第４検出処理のうちユーザー指定の検出処理だけが制御部１によって行われてもよい。この場合には、たとえば、第１検出処理だけが行われるよう設定することもできるし、第１検出処理だけが行われないよう設定することもできる。
【００４１】
（第１検出処理）
制御部１は、第１検出処理を行うとき、画像読取部２による連続読取によって得られた複数ページの画像データのそれぞれについて、白紙ページの画像データであるか否かを判断する。そして、制御部１は、白紙ページの画像データを条件充足ページの画像データとして検出する。
【００４２】
たとえば、制御部１は、複数ページの画像データのそれぞれについて、有色画素を判別し、有色画素の画素数を求める。そして、制御部１は、有色画素の画素数が予め定められた閾値数を下回る画像データが白紙ページの画像データであると判断する。
【００４３】
（第２検出処理）
制御部１は、第２検出処理を行うとき、画像読取部２による連続読取によって得られた複数ページの画像データのそれぞれについて、予め定められたページ番号の付加領域に対して文字認識処理を行うことによってページ番号を認識する。たとえば、文字認識処理の対象領域（ページ番号の付加領域）はユーザーによって予め設定される。当該設定は操作パネル４が受け付ける。通常では、ヘッダー領域またはフッター領域が文字認識処理の対象領域（ページ番号の付加領域）として設定される。
【００４４】
ページ番号を認識した後、制御部１は、前ページまたは次ページとの間でページ番号が不連続となっている不連続ページの画像データを条件充足ページの画像データとして検出する処理を行う。このとき、画像読取部２が１番目に読み取った最初ページについては、最初ページと最初ページの次に画像読取部２が読み取った次ページとの間でページ番号が不連続となっているか否かの判断が制御部１によって行われる。画像読取部２が最後に読み取った最終ページについては、最終ページと最終ページの直前に画像読取部２が読み取った前ページとの間でページ番号が不連続となっているか否かの判断が制御部１によって行われる。なお、最初ページと最終ページとの間のページについては、たとえば、前ページとの間でページ番号が不連続となっているか否かの判断が制御部１によって行われる。
【００４５】
たとえば、画像読取部２がｎ−１番目に読み取ったページのページ番号およびｎ番目に読み取ったページのページ番号がそれぞれ「３」および「５」であるとする。この場合、制御部１は、ｎ番目のページのページ番号がｎ−１番目のページのページ番号との間で不連続となっているので、ｎ番目のページの画像データを条件充足ページの画像データとして検出する。
【００４６】
（第３検出処理）
制御部１による第３検出処理は、画像読取部２による連続読取によって得られた複数ページの画像データにカラーページの画像データとモノクロページの画像データとが混在する場合に行われる。制御部１は、第３検出処理を行うとき、カラーページの画像データおよびモノクロページの画像データのうち数が少ない少数ページの画像データの数を認識する。また、制御部１は、複数ページの画像データの総数に対する少数ページの画像データの数の比率を求める。
【００４７】
そして、制御部１は、複数ページの画像データの総数に対する少数ページの画像データの数の比率が予め定められた閾値比率以下であるか否かを判断する。その結果、少数ページの画像データの数の比率が閾値比率以下であれば、制御部１は、少数ページの画像データを条件充足ページの画像データとして検出する。
【００４８】
（第４検出処理）
制御部１は、第４検出処理を行うとき、画像読取部２による連続読取によって得られた複数ページの画像データのそれぞれについて、予め定められた基準方向（主走査方向または副走査方向）に対するページの画像データの傾きを求める。そして、制御部１は、基準方向に対する傾きが予め定められた閾値角度以上のページの画像データを条件充足ページの画像データとして検出する。
【００４９】
なお、ページの画像データの基準方向に対する傾きが閾値以上のときに、ページの画像データの傾きを補正する傾き補正処理が制御部１によって行われてもよい。そして、この場合には、制御部１による第４検出処理が行われなくてもよい。
【００５０】
＜条件充足ページの画像データのプレビュー＞
制御部１は、検出処理の結果、画像読取部２が連続読取で読み取った複数ページの画像データから所定条件を満たす条件充足ページの画像データを検出したとき、ジョブ実行部１００Ｊによるジョブの実行前に、条件充足ページの画像データをプレビューするためのプレビュー処理を行う。なお、制御部１によるプレビュー処理は、複数ページの画像データに条件充足ページの画像データが存在するときには自動的（強制的）に行われる。
【００５１】
制御部１は、プレビュー処理を行うとき、画像読取部２が連続読取で読み取った複数ページの画像データのうち条件充足ページの画像データを表示するためのプレビュー画像（条件充足ページのプレビュー画像）を生成する。また、制御部１は、条件充足ページのプレビュー画像を配したプレビュー画面を表示するための表示データを生成する。そして、制御部１は、プレビュー処理として、条件充足ページのプレビュー画像を配したプレビュー画面を操作パネル４に表示させる処理を行う。
【００５２】
たとえば、制御部１は、図３〜図７の各上図に示すような画面４００をプレビュー画面として操作パネル４に表示させる。プレビュー画面４００には、条件充足ページのプレビュー画像Ｐ（ＰＰ）が表示される。さらに、プレビュー画面４００には、条件充足ページの直前に画像読取部２が読み取った前ページのプレビュー画像Ｐおよび条件充足ページの次に画像読取部２が読み取った次ページのプレビュー画像Ｐも表示される。すなわち、プレビュー画面４００には、条件充足ページおよびその前後ページの合計３ページ分のプレビュー画像Ｐが初期プレビュー画像Ｐとして表示される。
【００５３】
なお、図示しないが、検出条件を示す条件情報（条件充足ページの画像データをどのような条件で検出したかを示す情報）をプレビュー画面４００に配してもよい。さらに、原稿Ｄの確認を促すメッセージをプレビュー画面４００に配してもよい。
【００５４】
また、プレビュー画面４００には、スクロールキーＳＫが配される。制御部１は、スクロールキーＳＫに対するタッチ操作（スクロール操作）を検知すると、プレビュー画面４００に表示するプレビュー画像Ｐの切り替えを操作パネル４に行わせる。制御部１は、左側のスクロールキーＳＫに対するスクロール操作を検知すると、プレビュー画面４００に現在表示中のプレビュー画像Ｐに対応するページよりも前に画像読取部２が読み取ったページのプレビュー画像Ｐを読取順に操作パネル４に表示させ、右側のスクロールキーＳＫに対するスクロール操作を検知すると、プレビュー画面４００に現在表示中のプレビュー画像Ｐに対応するページよりも後に画像読取部２が読み取ったページのプレビュー画像Ｐを読取順に操作パネル４に表示させる。すなわち、制御部１は、プレビュー処理を行うとき、スクロール操作に対応するため、画像読取部２が連続読取で読み取った全ページのプレビュー画像Ｐを生成する（ただし、プレビュー画面４００の初期画面には、初期プレビュー画像Ｐだけが表示される）。
【００５５】
制御部１は、プレビュー画面４００の表示中、画像読取部２が連続読取で読み取った複数ページの画像データを編集する編集操作の受け付けを操作パネル４に行わせる。操作パネル４が受け付ける編集操作としては、複数ページの画像データのうちユーザー指定の画像データを削除する操作（削除操作）、複数ページの画像データの並び順を変更する操作（順番変更操作）、複数ページの画像データのうちユーザー指定の画像データを回転させる操作（回転操作）、複数ページの画像データのうちユーザー指定のカラーページの画像データをモノクロページの画像データに変換する操作（カラー／モノクロ変換操作）、および、複数ページの画像データに追加ページの画像データを追加する操作（追加操作）がある。
【００５６】
制御部１は、条件充足ページの画像データを検出した後、操作パネル４が編集操作を受け付けると、操作パネル４が受け付けた編集操作に基づいて、画像読取部２が連続読取で読み取った複数ページの画像データを編集して編集済画像データを生成する編集処理を行う。そして、制御部１は、編集済画像データに基づくジョブ（印刷ジョブあるは送信ジョブ）をジョブ実行部１００Ｊに実行させる。
【００５７】
以下、図３〜図７を参照し、編集操作について説明する。図３〜図７では、タッチ操作が行われた位置（タッチ位置）を白抜き丸印で示す。
【００５８】
（削除操作）
図３に示すように、プレビュー画面４００には、編集操作を受け付ける編集キーとして削除キーＤＫが配される。制御部１は、削除キーＤＫに対するタッチ操作を含む操作を削除操作として検知する。
【００５９】
具体的には、制御部１は、プレビュー画面４００の表示中、ユーザー指定のプレビュー画像Ｐを選択する画像選択操作の受け付けを操作パネル４に行わせる。たとえば、制御部１は、複数のプレビュー画像Ｐのいずれかに対してタッチ操作が行われると、タッチ操作の操作対象となったプレビュー画像Ｐが指定（選択）されたと判断する。その後、制御部１は、削除キーＤＫに対してタッチ操作が行われると、当該行われたタッチ操作を削除操作として検知する。
【００６０】
制御部１は、削除操作を検知したとき、プレビュー画面４００からユーザー指定のプレビュー画像Ｐを削除する処理を操作パネル４に行わせる。ユーザー指定のプレビュー画像Ｐの削除後、たとえば、プレビュー画面４００に表示されるプレビュー画像Ｐが１ページ分だけ繰り上がる。また、制御部１は、画像読取部２が連続読取で読み取った複数ページの画像データから、ユーザー指定のプレビュー画像Ｐに対応するページの画像データを削除する処理を編集処理として行う。
【００６１】
図３に示す例では、条件充足ページのプレビュー画像ＰＰに対する画像選択操作が行われ、その後、削除キーＤＫに対するタッチ操作が行われている。この場合、制御部１は、条件充足ページのプレビュー画像ＰＰに対して削除操作が行われたと判断する。そして、制御部１は、画像読取部２が連続読取で読み取った複数ページの画像データから、条件充足ページの画像データを削除する。
【００６２】
（順番変更操作）
図４に示すように、制御部１は、プレビュー画面４００の表示中、ユーザー指定のプレビュー画像Ｐを選択する画像選択操作の受け付けを操作パネル４に行わせる。その後、制御部１は、ユーザー指定のプレビュー画像Ｐに対するタッチ操作が解除されることなく、操作パネル４に対してドラッグアンドドロップ操作（プレビュー画像Ｐをタッチしたままタッチ位置を移動させ、移動先でタッチを解除する操作）が行われると、当該行われたドラッグアンドドロップ操作を順番変更操作として検知する。
【００６３】
なお、図４において、プレビュー画像Ｐの画像内の数字はページ番号である。ページ番号「３」、「５」および「４」の各ページの読み取りがこの順番で行われた場合に、図４に示すようなプレビュー画面４００が表示される。この場合には、ページ番号「５」のページの画像データが条件充足ページの画像データとして検出される。
【００６４】
制御部１は、順番更操作を検知したとき、プレビュー画面４００に表示するプレビュー画像Ｐの並び順を変更する処理を操作パネル４に行わせる。このとき、ユーザー指定のプレビュー画像Ｐの表示位置がドラッグアンドドロップ操作の終了位置に移動する。図４に示すようなドラッグアンドドロップ操作が行われた場合には、ページ番号「５」の条件充足ページのプレビュー画像ＰＰの表示位置とページ番号「４」のページのプレビュー画像Ｐの表示位置とが入れ替わる。また、制御部１は、画像読取部２が連続読取で読み取った複数ページの画像データの並び順を変更する処理を編集処理として行う。
【００６５】
図４に示す例では、ページ番号「５」の条件充足ページのプレビュー画像ＰＰを次ページのプレビュー画像Ｐの後に移動させる操作が行われている。この場合、制御部１は、ページ番号「５」の条件充足ページのプレビュー画像ＰＰに対する順番変更操作が行われたと判断する。そして、制御部１は、画像読取部２が連続読取で読み取った複数ページの画像データのうち、ページ番号「５」の条件充足ページの画像データの並び順を次ページの画像データの後に変更する。
【００６６】
（カラー／モノクロ変換操作）
図５に示すように、プレビュー画面４００には、編集操作を受け付ける編集キーとして変換キーＣＫが配される。制御部１は、変換キーＣＫに対するタッチ操作を含む操作をカラー／モノクロ変換操として検知する。
【００６７】
具体的には、制御部１は、プレビュー画面４００の表示中、ユーザー指定のプレビュー画像Ｐを選択する画像選択操作の受け付けを操作パネル４に行わせる。その後、制御部１は、変換キーＣＫに対してタッチ操作が行われると、当該行われたタッチ操作をカラー／モノクロ変換操として検知する。
【００６８】
制御部１は、カラー／モノクロ変換操作を検知したとき、ユーザー指定のプレビュー画像Ｐをカラーからモノクロに変換した変換済プレビュー画像Ｐを生成し、ユーザー指定のプレビュー画像Ｐに代えて変換済プレビュー画像Ｐを表示する処理を操作パネル４に行わせる。また、制御部１は、画像読取部２が連続読取で読み取った複数ページの画像データのうち、ユーザー指定のプレビュー画像Ｐに対応するページの画像データをカラーページの画像データからモノクロページの画像データに変換する処理を編集操作として行う。
【００６９】
図５に示す例では、条件充足ページのプレビュー画像ＰＰに対する画像選択操作が行われ、その後、変換キーＣＫに対するタッチ操作が行われている。この場合、制御部１は、条件充足ページのプレビュー画像ＰＰに対してカラー／モノクロ変換操作が行われたと判断する。そして、制御部１は、画像読取部２が連続読取で読み取った複数ページの画像データのうち、条件充足ページの画像データをカラーページの画像データからモノクロページの画像データに変換する。
【００７０】
（回転操作）
図６に示すように、制御部１は、プレビュー画面４００の表示中、ユーザー指定のプレビュー画像Ｐを選択する画像選択操作の受け付けを操作パネル４に行わせる。その後、制御部１は、ユーザー指定のプレビュー画像Ｐに対する回転操作の受け付けを操作パネル４に行わせる。
【００７１】
このとき、制御部１は、たとえば、ユーザー指定のプレビュー画像Ｐの拡大表示を操作パネル４に行わせる（たとえば、ユーザー指定のプレビュー画像Ｐを２回連続してタッチすると拡大表示される）。そして、制御部１は、ユーザー指定のプレビュー画像Ｐの２点をタッチし、円弧を描くように２点のタッチ位置を移動させるタッチ操作が行われると、当該行われた操作を回転操作として検知する。
【００７２】
制御部１は、回転操作を検知したとき、ユーザー指定のプレビュー画像Ｐを回転させる処理を操作パネル４に行わせる。また、制御部１は、ユーザー指定のプレビュー画像Ｐに対応するページの画像データを回転させる処理を編集処理として行う。このとき、制御部１は、回転操作時のタッチ位置の移動量に基づき画像データを回転させる（移動量が大きいほど回転角が大きくなる）。
【００７３】
図６に示す例では、条件充足ページのプレビュー画像ＰＰに対する画像選択操作が行われ、その後、条件充足ページのプレビュー画像ＰＰの２点をタッチし、円弧を描くように２点のタッチ位置を移動させるタッチ操作が行われている。この場合、制御部１は、条件充足ページのプレビュー画像ＰＰに対して回転操作が行われたと判断する。そして、制御部１は、画像読取部２が連続読取で読み取った複数ページの画像データのうち、条件充足ページの画像データを回転させる。
【００７４】
（追加操作）
図７に示すように、プレビュー画面４００には、編集操作を受け付ける編集キーとして追加キーＡＫが配される。制御部１は、追加キーＡＫに対するタッチ操作を含む操作を追加操作として検知する。
【００７５】
具体的には、制御部１は、プレビュー画面４００の表示中、原稿Ｄを追加で読み取るか否かの受け付けを操作パネル４に行わせる。その後、原稿Ｄを追加で読み取る旨を操作パネル４が受け付け、画像読取部２が原稿Ｄを追加で読み取る追加読取を行ったとする（図７には、追加読取後のプレビュー画面４００を示す）。この場合、制御部１は、画像読取部２が追加で読み取った原稿Ｄのページ（追加ページ）の画像データをプレビューするためのプレビュー画像Ｐ（ＡＰ）を生成する。そして、制御部１は、追加ページのプレビュー画像ＡＰのプレビュー画面４００への表示を操作パネル４に行わせる。
【００７６】
追加ページのプレビュー画像ＡＰのプレビュー画面４００への表示後、制御部１は、追加ページのプレビュー画像ＡＰをタッチしたままタッチ位置を移動させ、移動先でタッチを解除する操作（ドラッグアンドドロップ操作）が操作パネル４に対して行われると、当該行われたドラッグアンドドロップ操作を追加操作として検知する。
【００７７】
制御部１は、追加操作を検知したとき、プレビュー画面４００の既存のプレビュー画像Ｐの表示領域に追加ページのプレビュー画像ＡＰを挿入する処理を操作パネル４に行わせる。また、制御部１は、画像読取部２が連続読取で読み取った複数ページの画像データに追加ページの画像データを追加する処理を編集処理として行う。
【００７８】
図７に示す例では、追加ページのプレビュー画像ＡＰを条件充足ページのプレビュー画像ＰＰの前に移動させる操作が行われている。この場合、制御部１は、追加ページのプレビュー画像ＡＰに対する追加操作が行われたと判断する。そして、制御部１は、画像読取部２が連続読取で読み取った複数ページの画像データに追加ページの画像データを追加する。このとき、追加ページの画像データは条件充足ページの画像データの直前に追加される。
【００７９】
＜検出処理およびプレビュー処理の流れ＞
以下に、図８に示すフローチャートを参照し、制御部１により行われる検出処理およびプレビュー処理の流れについて説明する。図８に示すフローチャートは、画像読取部２による連続読取が終了したとき（画像読取部２が読み取った全ページの画像データが生成されたとき）にスタートする。
【００８０】
ステップＳ１において、制御部１は、条件充足ページの画像データを検出する検出処理を行う。そして、ステップＳ２において、制御部１は、条件充足ページの画像データを検出したか否かを判断する。その結果、条件充足ページの画像データを検出したと制御部１が判断した場合には、ステップＳ３に移行する。
【００８１】
ステップＳ３に移行すると、制御部１は、プレビュー画面４００の表示を操作パネル４に行わせる。プレビュー画面４００には、少なくとも条件充足ページの画像データのプレビュー画像ＰＰが表示される（図３〜図７参照）。このとき、制御部１は、編集操作の受け付けを操作パネル４に行わせる。
【００８２】
プレビュー画面４００の表示後、ステップＳ４において、制御部１は、編集操作を受け付けたか否かを判断する。その結果、編集操作を受け付けたと制御部１が判断した場合には、ステップＳ５に移行する。ステップＳ５に移行すると、制御部１は、操作パネル４が受け付けた編集操作に基づき編集処理を行う（編集済画像データを生成する）。その後、ステップＳ６に移行する。なお、ステップＳ４において、編集操作を受け付けていないと制御部１が判断した場合にも、ステップＳ６に移行する。
【００８３】
ステップＳ６に移行すると、制御部１は、プレビュー画面４００に配された編集終了キーＥＫ（図３〜図７参照）に対するタッチ操作が行われたか否かを判断する。その結果、編集終了キーＥＫに対するタッチ操作が行われたと制御部１が判断した場合には、ステップＳ７に移行し、編集終了キーＥＫに対するタッチ操作が行われていないと制御部１が判断した場合には、ステップＳ４に移行する。ステップＳ７に移行すると、制御部１は、ジョブ実行部１００Ｊにジョブを実行させる。このとき、制御部１による編集処理が行われていれば、ジョブ実行部１００Ｊは、編集済画像データに基づきジョブを実行する。一方で、制御部１による編集処理が行われていなければ、ジョブ実行部１００Ｊは、未編集の画像データに基づきジョブを実行する。
【００８４】
ステップＳ２において、条件充足ページの画像データを検出しなかったと制御部１が判断した場合には、ステップＳ７に移行する。すなわち、この場合には、制御部１によるプレビュー処理は行われない。
【００８５】
ここで、変形例として、画像読取部２による連続読取の実行中に、制御部１による検出処理およびプレビュー処理が行われてもよい。変形例の構成では、制御部１が条件充足ページの画像データを検出したとき、画像読取部２による連続読取が実行中であっても、操作パネル４にプレビュー画面４００が表示される。
【００８６】
ただし、制御部１が条件充足ページの画像データを検出したときには、画像読取部２による次ページの読み取り（画像データの生成）が未だ終わっていない場合がある。この場合、操作パネル４は、プレビュー画面４００の初期画面として、まず、条件充足ページのプレビュー画像Ｐおよび前ページのプレビュー画像Ｐを配した画面を表示し、画像読取部２による次ページの読み取りが終わった後、次ページのプレビュー画像Ｐを表示する。
【００８７】
なお、第３検出処理については、画像読取部２が連続読取で読み取った全ページの総数を把握する必要がある。したがって、制御部１が第３検出処理を行う場合には、画像読取部２による連続読取が終了してから、制御部１よる検出処理およびプレビュー処理が行われる。
【００８８】
本実施形態では、上記のように、制御部１は、所定条件を満たす条件充足ページの画像データを検出した場合にはプレビュー画面４００（プレビュー画像Ｐ）を操作パネル４に表示させる一方、条件充足ページの画像データを検出しなかった場合にはプレビュー画面４００を操作パネル４に表示させない。この構成では、所定条件を適切に設定することにより、ジョブで用いる画像データがユーザーの意図通りに生成されていない可能性がある場合にのみプレビュー画面４００を表示するという制御を行うことができる。当該制御を行った場合には、プレビュー画面４００が表示されたか否かに基づいて、ジョブで用いる画像データを確認する確認作業の要否判断（ジョブで用いる画像データが意図通りに生成されているか否かの判断）を行うことができるので、ユーザーの利便性が向上する。すなわち、ユーザーはプレビュー画面４００が表示された場合にのみ確認作業を行えばよい。
【００８９】
なお、制御部１が第１検出処理を行うよう設定した場合には、読取対象としてセットした複数ページ分の原稿Ｄに白紙ページが混在するとき、プレビュー画面４００が表示される。制御部１が第２検出処理を行うよう設定した場合には、読取対象としてセットした複数ページ分の原稿Ｄの並び順がページ順と異なっているとき（不連続ページが存在するとき）、プレビュー画面４００が表示される。制御部１が第３検出処理を行うよう設定した場合には、読取対象としてセットした複数ページ分の原稿Ｄに他のページとは異なる色形態のページが混在するとき（たとえば、全ページの９８％がモノクロページで残りがカラーページのとき）、プレビュー画面４００が表示される。制御部１が第４検出処理を行うよう設定した場合には、原稿Ｄの読取時に原稿Ｄが傾いていたとき、プレビュー画面４００が表示される。
【００９０】
また、本実施形態では、プレビュー画面４００の表示中に、削除操作、順番変更操作、回転操作、カラー／モノクロ変換操作および追加操作の受け付けが行われるので、ユーザーの利便性がより向上する。
【００９１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９２】
１  制御部
２  画像読取部
３  印刷部（ジョブ実行部）
４  操作パネル
５  通信部（ジョブ実行部）
１００  複合機（画像形成装置）
【図１】
2018129637.tif 000003
【図２】
2018129637.tif 000004
【図３】
2018129637.tif 000005
【図４】
2018129637.tif 000006
【図５】
2018129637.tif 000007
【図６】
2018129637.tif 000008
【図７】
2018129637.tif 000009
【図８】
2018129637.tif 000010